(57)【要約】      （修正有）【課題】帯状紙の挿入が簡単に行え、巻き込み途中に迫り出すことがなく、作業を迅速に行えるとともに規則的かつ緩やかな波状の美しい部品の作成を可能にする。【解決手段】手工芸用具は、ギア部２ａ，２ｂ、付帯部３、固定部１から構成される。本体部より帯状紙８を２つのギア２ａ，２ｂの接合部に挿入し、ギアを帯状紙８の挿入方向に内側にゆっくり回転させることにより、帯状紙８に規則正しい波状のひだの形成された手工芸用の部品を作成できる。また、２つのギア２ａ，２ｂの上部を薄い板状の付帯部３で被覆することにより、ギア２ａ，２ｂの回転によって生じるギアのずれおよび、挿入した帯状紙８がギアの回転によるギアの上面からの迫り出しを防いでいる。これにより帯状紙８を挿入しやすく、且つ挿入した状態では外れ難く、迅速且つ正確に巻き込み作業を行うことができる。【選択図】図６
0003101715.tif 000002
【実用新案登録請求の範囲】
【請求項１】
手芸用の帯状紙を、固定板に並列に配置した２つのギアの噛み合わせ部分に挿入した状態で、ギアを内側に回転することにより、帯状紙に連続した規則正しい波状のひだを形成するための手芸用工具において、２つのギアからなる本体部と、この本体部を支持するための固定部からなる形状に形成されていることを特徴とする手芸用工具。
【請求項２】
前記本体部には、回転する際に生じる２つのギアの競り上がりおよびギアのずれ、あるいは帯状紙のギアからの迫り出しを防止するための薄い板状の押さえ部分が付帯していることを特徴とする請求項１記載の手芸用工具。
【考案の詳細な説明】
【技術分野】
【０００１】
本考案は、手芸用の帯状紙を、固定板に並列に配置した２つのギアの噛み合わせ部分に帯状紙を挿入した状態でギアを内側に回転することにより、帯状紙の先端部から末端部まで連続する規則正しい波状のひだのついた手芸作品を作成するための手芸用工具に関する。
【背景技術】
【０００２】
この種のものとしてはペーパーアートなどがあるが、その中に例えば、クイリングペーパーと呼称される様々な種類の帯状紙を細いニードルというツールの先端に巻きつけることによって形成される手芸部品の組み合わせにより表現するクイリング（Quilling）と呼ばれる手芸がある。従来の技術では、指またはピンセットを用いてクイリングペーパーを等間隔に交互に折り曲げて波状の作品の部品となるものを作成している。このように作成した部品１（図１参照）は、台紙などの平面または立体面上に適切に配置して接着されることにより、作品の１部を構成するのである。
【考案の開示】
【考案が解決しようとする課題】
【０００３】
しかしながら上述のような従来の方法では次のような不具合が生じた。第１に指またはピンセットでは、帯状紙を折り曲げる際に鋭角な折り目ができ、製作する作品は部品２（図２参照）に示すような帯状紙の先端部から末端部まで等間隔で連続する緩やかな波状の美しい部品を作ることができない。
【０００４】
この不具合については、指またはピンセットで形成された折り目を、折り目の山側（あるいは谷側）から指などで押しもどすことよって、より緩やかな角度に補正することにより解決できるが、次のような別の技術的課題が発生する。つまり、部品３（図３参照）に示すような指またはピンセットでつけた折り目が波目に残り、部品の美観を損なうため作品用として用いられなくなり、この結果、１個の部品を製作するのに手間と時間がかかるようになり、効率を低下させることになる。
【０００５】
第２に、従来の技術では、慣れた作業者にとっても、帯状紙を規則正しく等間隔で折り曲げ、波状の緩やかな曲面を形成するのには高度な技術を要する作業となる。
【０００６】
本発明は上記事情に鑑みてなされたものであり、その目的は指またはピンセットを用いなくても、２つのギアの噛み合わせ部分に帯状紙を挿入し、ギアを内側にゆっくり回転させることにより、帯状紙の先端部から末端部まで等間隔のゆるやかな波状の美しい部品（図２参照）を作成することができ、しかも、作業を迅速に行えるとともに安価で初心者でも簡単に取り扱うことができるようにした手工芸用具を提供することにある。
【考案の効果】
【０００７】
請求項１の発明によれば、支持体に固定された２つのギアの噛み合わせ部分に、帯状紙の先端を挿入し、ギアを内側にゆっくり回転させることで帯状紙に規則正しいゆるやかな波状のひだが形成される。このとき、ギアの厚みが帯状紙の幅より厚いこと、帯状紙の挿入部分が広く開口していることによって、ギアの噛み合わせ部分に帯状紙を挿入しやすく、作業性の効率を高めると共に、初心者でも簡単に帯状紙に波状のひだを形成することができるようになる。また、ギアの直径、ギアのモジュール、ギアの厚み、ギアの歯型など、使用者の好みに応じて適宜に選択すれば、様々な波状のひだの形成が可能となり、さらに使用する帯状紙の質や厚さに応じてギアを適宜に選択すれば、様々な帯状紙を用いた場合にも対応が可能となる。
【０００８】
請求項２の考案では２つのギアが薄い板状の押さえ部分で固定されていることにより、回転時に生じるギアの競り上がりやギア間のずれを防止するとともに、挿入した帯状紙の先端部が、ギアの回転時に、ギアの固定されていない側（ギアの上面）より迫り出すのを防ぐように工夫されており、使い勝手の向上を図ることができる。
【考案を実施するための最良の形態】
【０００９】
図４，５は本考案の実施形態に係る手芸用工具を説明的に示した斜視図、図８は同手芸用工具を示した平面図である。
【００１０】
クイリング用の手工具である本ツールは、図４〜１０のように、２つのギア２a，２ｂおよびその付帯部３からなる本体部と、本体部の支持体である固定部１から構成されている。図面では本体部に用いている２つのギア２a，２ｂは、いずれも同じものを用いているが、モジュールが同じであればギアの直径が異なっても良く、また材質としては木材、金属あるいはプラスチックなどの素材を用いても構わない。
【００１１】
またギアの厚みは、繁用される帯状紙の幅の２〜３ｍｍよりやや大きめの５ｍｍ程度のものを用いているが、適宜、異なる厚みのギアを用いることにより、様々な幅の帯状紙に対応することができる。さらには厚さや硬さなどの異なる様々なタイプの帯状紙に対しても、様々なギアを用いることによって、対応することが可能となる。
【００１２】
図４〜１０の３は２つの隣接するギア２ａ，２ｂからなる本体部の付帯部で、回転する際に生じるギアの競り上がりおよび帯状紙８の迫り出しを防ぐように工夫された薄い板状の押さえ部分（図６および７参照）で、金属、木材あるいはプラスチック、アクリルなどの樹脂を素材として用いることができるが、プラスチックあるいはアクリルなどの透光性の素材を用いると、帯状紙８を挿入する際の作業の確認が容易となる。
【００１３】
固定部１は、２つのギア２ａ，２ｂからなる本体部の支持、および帯状紙８を挿入して加工作業する際の保持を容易とすることを目的としたものであり、金属、木材あるいはアクリル、プラスチックなどの樹脂を素材として用いることができる。
【００１４】
図６，７は、ツールを用いた実際の使用状況を説明した図である。同図のように本体部のギア２ｂが、固定板の外にはみ出すように固定されているが、これは帯状紙８を挿入した状態でギア２ｂを回転する際の作業性を考慮したものである。すなわち右利きの作業者の場合、ツールの固定部１を保持するのは左手の親指および薬指であり、ギア２ｂの回転は人差し指を使用するが、この際、ギア２ｂが固定板の外にはみ出していることにより、ギアを固定板からはみ出さないように配置した場合に比較してギア２ｂにかかる指の範囲が広がり、作業性を容易にしている。
【００１５】
さらに２つのギア２ａ，２ｂの配置位置により、本ツールは、作業者の右利きあるいは左利きの如何に関わらず、使用できる形態を有している。
【００１６】
図９はツールの構造を分かりやすくするために示した側面図である。同図のように、各々のギア２ａ，２ｂは支持体１に固定するためにギア中心部に穴が設けられており、その穴の内側にはギア２ａ，２ｂの回転をスムーズにするための中空のシャフト６ａ，６ｂを備え、本体部のそれぞれのギアは、上面からワッシャー４ａ，４ｂ、付帯部の薄板３、ギア２ａ，２ｂ（およびシャフト６ａ，６ｂ）、ワッシャー７ａ，７ｂを経由したネジ５ａ，５ｂにより、固定部１と結合された形態をとっている。これらの組み付けの様子は図１０に示した。
【図面の簡単な説明】
【００１７】
【図１】部品１を示した平面図である。
【図２】部品２を示した平面図である。
【図３】部品３を示した平面図である。
【図４】本考案の実施形態に係る工芸用具の斜視図である。
【図５】本考案の実施形態に係る工芸用具の異なる側面から見た斜視図である。
【図６】同工芸用具の使用状態説明図である。
【図７】同工芸用具の使用状態を異なる側面から見た説明図である。
【図８】同工芸用具の平面図である。
【図９】同工芸用具の側面図である。
【図１０】同工芸用具の組み付け図である。
【符号の説明】
【００１８】
２ａ，２ｂは手工芸用具のギア（本体部）、３は薄板、４ａ，４ｂおよび７a，７ｂはワッシャー、５ａ，５ｂはネジ（付帯部）、１は固定部（支持体）、６ａ，６ｂはシャフト、８はクイリングペーパー（帯状紙）である。
【図１】
0003101715.tif 000003
【図２】
0003101715.tif 000004
【図３】
0003101715.tif 000005
【図４】
0003101715.tif 000006
【図５】
0003101715.tif 000007
【図６】
0003101715.tif 000008
【図７】
0003101715.tif 000009
【図８】
0003101715.tif 000010
【図９】
0003101715.tif 000011
【図１０】
0003101715.tif 000012